Podtech/llm-jp-corpus-v4-ja_patent huggingface dataset:
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
硬化性インクであって、
少なくとも１種類のモノマー、オリゴマーまたはプレポリマーと；
任意要素の光開始剤と；
任意要素の着色剤と；
分子量が約８００〜約２，５００ｇ／モルのアミドゲル化剤とを含み；
このインクは、以下の関係に従い、アミドゲル化剤のガラス転移によって定義されるゲル化開始温度を有し、
ゲル化開始温度（Ｋ）＝（定数）ゲル化剤のＴｇ（Ｋ）；
式中、定数は１．５未満であり、
インクは硬化し、無色物体を生成し、
インクはワックスを含まない、硬化性インク。
【請求項２】
ＵＶ光により硬化し、１ヵ月間エージングした後、物体は無色の外観を有し、実質的に黄色がない、請求項１に記載のインク。
【請求項３】
定数が約１．１である、請求項１に記載のインク。
【請求項４】
室内環境の周囲条件下で、硬化後、物体は安定であり、１年以上たっても黄変しない、請求項１に記載のインク。
【請求項５】
アミドゲル化剤は、以下の式を有し、
【化１】
2017088863.tif 000001
式中、ｎは、１〜１０であり；
Ｒ１およびＲ１’は、それぞれ他と独立して、
【化２】
2017088863.tif 000002
からなる群から選択される、請求項１に記載のインク。
【請求項６】
ｎは、１〜２である、請求項５に記載のインク。
【請求項７】
アミドゲル化剤は、約２，０００ｇ／モル未満の分子量を有する、請求項１に記載のインク。
【請求項８】
インクのゲル化開始温度は約７５℃以下である、請求項１に記載のインク。
【請求項９】
インクのゲル化開始温度は約７０℃未満である、請求項１に記載のインク。
【請求項１０】
アミドゲル化剤のガラス転移温度は、約４０℃未満である、請求項１に記載のインク。
【請求項１１】
三次元物品を印刷するためのプロセスであって、
少なくとも１種類のモノマー、オリゴマーまたはプレポリマーと；任意要素の光開始剤と；任意要素の着色剤と；分子量が約８００〜約２，５００ｇ／モルのアミドゲル化剤とを含み；以下の関係：ゲル化開始温度（Ｋ）＝（定数）ゲル化剤のＴｇ（Ｋ）に従い、低分子量アミドゲル化剤のガラス転移によって定義されるゲル化開始温度を有し；式中、定数は１．５未満であり、ワックスを含まない硬化性インクを提供することと、
この硬化性インクを１つ以上の層になるように堆積させることと、
堆積したインクを硬化させ、三次元物体を生成することとを含み、三次元物体は無色である、プロセス。
【請求項１２】
堆積させることが、インクジェット印刷を含む、請求項１１に記載のプロセス。
【請求項１３】
硬化させることが、１つ以上の層の最後の層を堆積させた後に硬化させることを含む、請求項１１に記載のプロセス。
【請求項１４】
三次元物体が無色である、請求項１１に記載のプロセス。
【請求項１５】
アミドゲル化剤は、以下の式を有し、
【化３】
2017088863.tif 000003
式中、ｎは、１〜１０であり；
Ｒ１およびＲ１’は、それぞれ他と独立して、
【化４】
2017088863.tif 000004
からなる群から選択される、請求項１１に記載のプロセス。
【請求項１６】
硬化性インクであって、
少なくとも１種類のモノマー、オリゴマーまたはプレポリマーと；
任意要素の光開始剤と；
任意要素の着色剤と；
分子量が約８００〜約２，５００ｇ／モルの低分子量アミドゲル化剤とを含み；
このインクは、以下の関係に従い、低分子量アミドゲル化剤のガラス転移によって定義されるゲル化開始温度を有し、
ゲル化開始温度（Ｋ）＝（定数）ゲル化剤のＴｇ（Ｋ）；
式中、定数は１．５未満であり；
低分子量アミドゲル化剤は、三段階のゲル化プロフィールを示し、
インクは硬化し、無色物体を生成し、
インクはワックスを含まない、硬化性インク。
【請求項１７】
アミドゲル化剤は、約２，０００ｇ／モル未満の分子量を有する、請求項１６に記載のインク。
【請求項１８】
インクのゲル化開始温度は約７０℃未満である、請求項１６に記載のインク。
【請求項１９】
アミドゲル化剤のガラス転移温度は、約４０℃未満である、請求項１６に記載のインク。
【請求項２０】
低分子量アミドゲル化剤は、三段階のゲル化プロフィールを示す、請求項１６に記載のインク。
【請求項２１】
インクは硬化して、無色な着色物体を生成し、
インクは、インクの重量に基づいて、約０．００５から０．１重量％の量の着色剤を含み、
インクは、インクの重量に基づいて、２重量％未満の光開始剤を含む、請求項１に記載のインク。
【請求項２２】
インクは硬化して、無色な着色物体を生成し、
インクは、インクの重量に基づいて、約０．００５から０．１重量％の量の着色剤を含み、
インクは、インクの重量に基づいて、２重量％未満の光開始剤を含む、請求項１１に記載のインク。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
ポリエステル種粒子と、その中および表面に分散されたポリ（スチレン／アクリレート）ポリマーとを含む、ポリ（スチレン／アクリレート）−ポリエステルハイブリッド粒子であって、
前記ポリ（スチレン／アクリレート）ポリマーの鎖は、相互貫入ポリマー網目構造の中の前記ポリエステル種粒子の中に絡み合っており、
前記ハイブリッド粒子は、１７５ｎｍ〜２１５ｎｍの粒径Ｄ５０を有する、ハイブリッド粒子。
【請求項２】
ポリ（スチレン／アクリレート）ポリマーが、スチレンアクリレート、スチレンメタクリレートおよびこれらの組み合わせから選択される、請求項１に記載のハイブリッド粒子。
【請求項３】
ポリ（スチレン／アクリレート）ポリマーが、ポリ（スチレン−アクリル酸アルキル）、ポリ（スチレン−メタクリル酸アルキル）、ポリ（スチレン−アクリル酸プロピル）、ポリ（スチレン−アクリル酸ブチル）、ポリ（スチレン−メタクリル酸ブチル）、およびこれらの組み合わせから選択される、請求項１に記載のハイブリッド粒子。
【請求項４】
ポリ（スチレン／アクリレート）ポリマーが、連鎖移動剤および／または分岐剤をさらに含む、請求項１に記載のハイブリッド粒子。
【請求項５】
前記ポリエステル種粒子は、結晶性樹脂を含む、請求項１に記載のハイブリッド粒子。
【請求項６】
前記ポリエステル種粒子は、アモルファス樹脂を含む、請求項１に記載のハイブリッド粒子。
【請求項７】
前記ポリ（スチレン／アクリレート）ポリマーは、前記ハイブリッド粒子の重量に対して５％〜９５％存在する、請求項１に記載のハイブリッド粒子。
【請求項８】
前記ポリエステル種粒子の前記ポリエステルは、実質的に架橋していない、請求項１に記載のハイブリッド粒子。
【請求項９】
前記ポリエステル種粒子は、転相乳化によって調製される、請求項１に記載のハイブリッド粒子。
【請求項１０】
ポリエステル種粒子と、その中および表面に分散された分散ポリマーとを含む、ポリエステルハイブリッド粒子であって、
前記分散ポリマーのポリマー鎖は、相互貫入ポリマー網目構造の中の前記ポリエステル種粒子の中に絡み合っており、
前記分散ポリマーは、ポリ（スチレン−アクリル酸アルキル）、ポリ（スチレン−メタクリル酸アルキル）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（スチレン−アクリル酸プロピル）、ポリ（スチレン−アクリル酸ブチル）、ポリ（スチレン−メタクリル酸ブチル）、ポリ（メタクリル酸ブチル−アクリル酸ブチル）、およびこれらの組み合わせから選択され、
前記ハイブリッド粒子は、１７５ｎｍ〜２１５ｎｍの粒径Ｄ５０を有する、ハイブリッド粒子。
【請求項１１】
請求項１に記載のハイブリッド粒子を製造する方法であって、
ポリエステル種粒子を作製することと；
スチレンモノマー、アクリレートモノマーおよび界面活性剤を含む溶液中、前記種種子を膨潤させることと；
前記溶液にさらなるスチレンモノマーおよびさらなるアクリレートモノマーを加え、前記溶液に開始剤およびさらなる界面活性剤を加え、スチレンアクリレートポリマーを作製することとを含み、
前記スチレンアクリレートポリマーが、前記ポリエステル種粒子の中および表面に分散して前記ポリエステルとの相互貫入ポリマー網目構造を形成する、方法。
【請求項１２】
前記ポリエステル種粒子の前記ポリエステルは、実質的に架橋していない、請求項１１に記載の方法。
【請求項１３】
前記ポリエステル種粒子は、転相乳化によって調製される、請求項１１に記載の方法。
【手続補正２】
【補正対象書類名】明細書
【補正対象項目名】発明の名称
【補正方法】変更
【補正の内容】
【発明の名称】ポリエステルハイブリッド樹脂粒子
【手続補正書】
【提出日】平成31年3月20日(2019.3.20)
【手続補正１】
【補正対象書類名】明細書
【補正対象項目名】００１３
【補正方法】変更
【補正の内容】
【００１３】
一般式 Rf(A-OH)kで表される含フッ素アルコール〔X〕としては、例えば一般式〔I〕、〔Ia〕または〔Ib〕によって示される含フッ素アルコールが用いられる。
一般式〔I〕によって示される含フッ素アルコール：
RF-A-OH                                           〔I〕
RF：炭素数6以下のパーフルオロアルキル基
該パーフルオロアルキル基のフッ素原子の一部が水素原子で置換され
たポリフルオロアルキル基
炭素数6以下の末端パーフルオロアルキル基および炭素数6以下のパー
フルオロアルキレン基を含んで構成されるポリフルオロアルキル基
一般式〔Ia〕によって示される含フッ素アルコール：
RF′-A-OH                                        〔Ia〕
RF′：炭素数6以下の末端パーフルオロアルキル基、炭素数6以下のパーフ
ルオロアルキレン基をおよびエーテル結合を有する、直鎖状または
分岐状パーフルオロアルキル基  
一般式〔Ib〕によって示される含フッ素アルコール：
HO-A-RF′′-A-OH                                 〔Ib〕
RF′′：炭素数6以下のパーフルオロアルキレン基およびエーテル結合を
有する、直鎖状または分岐状のパーフルオロアルキレン基または
ポリフルオロアルキレン基
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
式：
（ＳｉＯ４／２）ｍ（Ｒ１ＳｉＯ３／２）ｎ（Ｒ１２ＳｉＯ２／２）ｏ（Ｒ２Ｒ１ＳｉＯ２／２）ｐ（Ｒ２Ｒ１２ＳｉＯ１／２）ｑ（Ｒ１３ＳｉＯ１／２）ｒ（Ｒ３）ｓのラジカル硬化性分枝状ポリオルガノシロキサンであって、
式中、
各Ｒ１は、独立して、脂肪族不飽和を含まない一価の有機基であり、
各Ｒ２は、独立して、ラジカル硬化性基であり、
各Ｒ３は、独立して、２〜１２個の炭素原子を有するアルキレンであり、
下付き文字ｍは０〜２０であり、
下付き文字ｎは０〜２０であり、
ただし、下付き文字の和ｍ＋ｎは１〜２０であり、
下付き文字ｏは５０〜１０００であり、
下付き文字ｐは０〜１００であり、
下付き文字ｑは０〜４２であり、
ただし、下付き文字の和ｐ＋ｑは２を超えて、前記分枝状ポリオルガノシロキサンは、平均で、１分子当たり少なくとも２個のラジカル硬化性基を有し、かつ
下付き文字ｒは０〜４２であり、
ただし、下付き文字の和ｑ＋ｒ＝ｎ＋２ｍ＋２であり、
下付き文字ｓは２を超え１００未満である、ラジカル硬化性分枝状ポリオルガノシロキサン。
【請求項２】
各ラジカル硬化性基は、独立して、アクリレート基、メタクリレート基、又はこれらの組合せを含有する一価の有機基である、請求項１に記載のラジカル硬化性分枝状ポリオルガノシロキサン。
【請求項３】
（ａ）平均で、１分子当たり２個を超えるケイ素結合水素原子を有する分枝状ポリオルガノシロキサンと、
（ｂ）１分子当たり、少なくとも１個の脂肪族不飽和有機基並びにアクリレート基及びメタクリレート基から選択される１個以上のラジカル硬化性基を有する反応種と、を含む構成要素の
（ｃ）ヒドロシリル化触媒の存在下での反応の反応生成物である、請求項１に記載の分枝状ポリオルガノシロキサン。
【請求項４】
（ａ’）平均で、１分子当たり２個を超える脂肪族不飽和基を有する分枝状ポリオルガノシロキサンと、
（ｂ’）１分子当たり、少なくとも１個のケイ素結合水素並びにアクリレート基及びメタクリレート基から選択される１個以上のラジカル硬化性基を有する反応種と、を含む構成要素の、
（ｃ）ヒドロシリル化触媒の存在下での反応の反応生成物である、請求項１に記載の分枝状ポリオルガノシロキサン。
【請求項５】
請求項１に記載のラジカル硬化性分枝状ポリオルガノシロキサンであって、
式中、下付き文字ｎは０であり、下付き文字ｐは０であり、前記分枝状ポリオルガノシロキサン（Ｉ）は、式（ＳｉＯ４／２）ｍ（Ｒ１２ＳｉＯ２／２）ｏ（Ｒ２Ｒ１２ＳｉＯ１／２）ｑ（Ｒ１３ＳｉＯ１／２）ｒ（Ｒ３）ｓであり、式中、下付き文字ｍは１〜２０であり、
下付き文字ｏは５０〜１０００であり、
下付き文字ｑは２〜４２であり、
下付き文字ｒは０〜４２であり、
ただし、ｑ＋ｒ＝２ｍ＋２であり、
下付き文字ｓは２を超え１００未満である、又は、
式中、下付き文字ｍは０であり、下付き文字ｐは０であり、下付き文字ｒは０であり、前記分枝状ポリオルガノシロキサン（Ｉ）は、式（Ｒ１ＳｉＯ３／２）ｎ（Ｒ１２ＳｉＯ２／２）ｏ（Ｒ２Ｒ１２ＳｉＯ１／２）ｑ（Ｒ３）ｓであり、式中、下付き文字ｎは１〜２０であり、
下付き文字ｏは５０〜１０００であり、
下付き文字ｑは２〜４２であり、
ただし、ｑ＝ｎ＋２であり、
下付き文字ｓは２を超え１００未満である、又は、
式中、下付き文字ｍは＞０であり、下付き文字ｎは＞０であり、前記分枝状ポリオルガノシロキサンは、式
（ＳｉＯ４／２）ｍ（Ｒ１ＳｉＯ３／２）ｎ（Ｒ１２ＳｉＯ２／２）ｏ（Ｒ２Ｒ１ＳｉＯ２／２）ｐ（Ｒ２Ｒ１２ＳｉＯ１／２）ｑ（Ｒ１３ＳｉＯ１／２）ｒ（Ｒ３）ｓであり、
式中、下付き文字ｍは＞０〜＜２０であり、下付き文字ｎは＞０〜＜２０であり、ただし、下付き文字の和ｍ＋ｎは１〜２０であり、下付き文字ｏ、ｐ、ｑ、ｒ、及びｓは上記の定義による、ラジカル硬化性分枝状ポリオルガノシロキサン。
【請求項６】
硬化性シリコーン組成物であって、
（Ｉ）請求項１〜５のいずれか一項に記載のラジカル硬化性分枝状ポリオルガノシロキサン；及び
（ＩＩ）ラジカル開始剤を含む、硬化性シリコーン組成物。
【請求項７】
請求項６に記載の硬化性シリコーン組成物であって、
（ＩＩＩ）式：
（ＳｉＯ４／２）ｍｍ（Ｒ１ＳｉＯ３／２）ｎｎ（Ｒ１２ＳｉＯ２／２）ｏｏ（Ｒ２Ｒ１ＳｉＯ２／２）ｐｐ（Ｒ２Ｒ１２ＳｉＯ１／２）ｑｑ（Ｒ１３ＳｉＯ１／２）ｒｒ（Ｒ３）ｓｓのシリコーン反応性希釈剤
（式中、
各Ｒ１は、独立して、脂肪族不飽和を含まない一価の有機基であり、
各Ｒ２は、独立して、構成要素（Ｉ）に関する上記定義によるラジカル硬化性基であり、
各Ｒ３は、独立して、２〜１２個の炭素原子を有する二価炭化水素であり、
下付き文字ｍｍは０〜５であり、
下付き文字ｎｎは０〜５であり、
ただし、下付き文字の和（ｍｍ＋ｎｎ）は０〜５であり、
下付き文字ｏｏは０〜４００であり、
下付き文字ｐｐは０〜１０であり、
下付き文字ｑｑは０〜１０であり、
ただし、下付き文字の和（ｐｐ＋ｑｑ）は１以上であり、
下付き文字ｒｒは０〜１０であり、
ただし、下付き文字の和ｑｑ＋ｒｒ＝ｎｎ＋２ｍｍ＋２であり、
下付き文字ｓｓは１〜２０である）又は
（ＩＶ）充填剤、又は
（Ｖ）充填剤処理剤、又は
（ＩＶ）充填剤及び（Ｖ）充填剤処理剤、又は
（ＶＩ）湿気硬化開始剤及び（ＶＩＩ）架橋剤を更に含む、硬化性シリコーン組成物。
【請求項８】
電子デバイスであって、請求項６若しくは７に記載の硬化性シリコーン組成物又はその硬化生成物及び前記デバイスと作用的に接触する少なくとも１つのその他のデバイスコンポーネントを含む、電子デバイス。
【請求項９】
基材及びその上の作用的接触を封止して配置されたシーラント、又は第１及び第２の基材並びにその間に接着作用で接触して配置された接着剤を含むアセンブリ、を含む製造物品であって、前記シーラント又は前記接着剤が請求項６若しくは７に記載の硬化性シリコーン組成物又はその硬化生成物を含む、製造物品。
【請求項１０】
熱伝導性部材及び該熱伝導性部材と熱的連通する少なくとも１つのその他のコンポーネントを含むデバイスであって、前記熱伝導部材が請求項６若しくは７に記載の硬化性シリコーン組成物又はその硬化生成物を含む、デバイス。
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
シートを排出する排出部と、
シート幅方向において、シート取り出し側から該シート取り出し側と逆側へ低くなる傾斜面であって、前記排出部によって排出されたシートを移動させる傾斜面を備え、シートを積載する積載部と、
前記傾斜面によって移動されるシートの側端部に当接可能であり、シートの移動を規制するサイド規制部と、を有し、
前記サイド規制部は、前記シート幅方向に移動可能に設けられることを特徴とするシート積載装置。
【請求項２】
前記シート取り出し側には、前記排出部によって排出されたシートの移動を規制するサイド規制部が設けられずに、前記シート取り出し側には、前記積載部に積載されたシートが露出することを特徴とする請求項１に記載のシート積載装置。
【請求項３】
シートを積載する第２の積載部と、前記第２の積載部に積載されたシートを給送する給送部と、前記第２の積載部に積載されたシートの側端部に当接可能であり、前記シート幅方向のシートの位置を規制する第２のサイド規制部と、を有し、前記第２のサイド規制部は、前記シート幅方向に移動可能に設けられることを特徴とする請求項１又は請求項２に記載のシート積載装置。
【請求項４】
前記サイド規制部は、前記第２のサイド規制部の前記シート幅方向の移動に連動して、前記シート幅方向に移動されることを特徴とする請求項３に記載のシート積載装置。
【請求項５】
前記サイド規制部は、前記シート幅方向において、前記第２のサイド規制部よりも外側の位置に設けられることを特徴とする請求項３又は請求項４に記載のシート積載装置。
【請求項６】
前記給送部によって給送されたシートは、シートの画像を読み取る読み取り位置を通過した後、前記排出部に搬送されることを特徴とする請求項３乃至５のいずれか１項に記載のシート積載装置。
【手続補正２】
【補正対象書類名】明細書
【補正対象項目名】発明の名称
【補正方法】変更
【補正の内容】
【発明の名称】シート積載装置
【手続補正３】
【補正対象書類名】明細書
【補正対象項目名】０００９
【補正方法】変更
【補正の内容】
【０００９】
本発明のシート積載装置は、シートを排出する排出部と、シート幅方向において、シート取り出し側から該シート取り出し側と逆側へ低くなる傾斜面であって、前記排出部によって排出されたシートを移動させる傾斜面を備え、シートを積載する積載部と、前記傾斜面によって移動されるシートの側端部に当接可能であり、シートの移動を規制するサイド規制部と、を有し、前記サイド規制部は、前記シート幅方向に移動可能に設けられるものである。
【手続補正４】
【補正対象書類名】明細書
【補正対象項目名】００２１
【補正方法】変更
【補正の内容】
【００２１】
（自動原稿搬送装置）
図２に示すように、給送部としてのピックアップローラ１５は、給送トレイ２に積載された原稿束の最上面の原稿に当接して回転し、最上面の原稿を繰り出してフィードローラ２１に受け渡す。フィードローラ２１は、原稿の搬送方向に回転して、ピックアップローラ１５から受け渡された原稿をレジストローラ２３へ向かって送り出す。
【手続補正５】
【補正対象書類名】明細書
【補正対象項目名】００２６
【補正方法】変更
【補正の内容】
【００２６】
図３の（ａ）に示すように、第２の積載部としての給送トレイ２は、積載部としての排出トレイ５の上方に配置される。給送トレイ２は、給送されて排出トレイ５に排出されるシートの一例である原稿が積載される。第２のサイド規制部としての前サイド規制板３及び後サイド規制板４は、給送トレイ２に積載されたシートのシート給送方向とは直交するシート幅方向の端部（側端部）を規制する。
【手続補正６】
【補正対象書類名】明細書
【補正対象項目名】００３１
【補正方法】変更
【補正の内容】
【００３１】
（排出トレイ）
図３の（ａ）に示すように、積載ユニットの一例である排出トレイ５は、排出部の一例である排出口３３から排出されたシートが積載される。排出トレイ５のシート積載部は、排出トレイ５のシート積載部に排出されたシートが排出口３３に向かって移動するようにシートを傾斜させる。排出口３３は、積載面５２の上方に原稿を突き出すように排出して積載面（傾斜面）５２に落下させる。これにより、シートは空気層を介して積載面５２又は先行するシートに重なる。
【手続補正７】
【補正対象書類名】明細書
【補正対象項目名】００３２
【補正方法】変更
【補正の内容】
【００３２】
排出トレイ５のシート積載部は、排出口３３によるシート排出方向とは直交するシート幅方向でシート取り出し側とは逆側にシートが移動するようにシートを傾斜させる。サイド規制部としての排出サイド規制板３１は、排出トレイ５のシート積載部によって傾斜して移動するシートを当接させて規制する。排出サイド規制板３１は、排出トレイ５のシート取り出し側の逆側のみに設けられ、排出トレイ５のシート取り出し側は大きく開放されている。
【手続補正８】
【補正対象書類名】明細書
【補正対象項目名】００４０
【補正方法】変更
【補正の内容】
【００４０】
図６の（ａ）に示すように、給送トレイ２に大サイズシートの原稿が積載される場合、排出トレイ５の積載面５２にも画像を読み取られた大サイズシートの原稿が積載される。このとき、積載面５２に沿って幅方向に移動する原稿Ｇは、排出サイド規制板３１に幅方向の端部（側端部）を突き当てた状態で幅方向の位置を規定される。このため、原稿取り出し口４５からそれほど遠くない位置で原稿を掴んで引き出すことができる。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
水不溶性スポンジと、前記水不溶性スポンジに含浸させる化粧料組成物とを含む化粧品において、
前記化粧品はパフをさらに含み、
前記水不溶性スポンジは、疎水性単量体高分子で形成され、
前記化粧料組成物は、以下のいずれか１つ以上の有機紫外線遮断剤を含み、
（i）水溶性または水分散性有機紫外線遮断剤；
（ii）水不溶性から水分散性に転換された有機紫外線遮断剤；若しくは
（iii）カプセル化された有機紫外線遮断剤、
油溶性有機紫外線遮断剤を全く含まないか、化粧料組成物に含まれる有機紫外線遮断剤総重量の１０％未満で含むことを特徴とする化粧品。
【請求項２】
前記化粧料組成物は、無機紫外線遮断剤をさらに含むことを特徴とする請求項１に記載の化粧品。
【請求項３】
前記化粧料組成物の剤形は、最外相が水相であることを特徴とする請求項１に記載の化粧品。
【請求項４】
前記水不溶性スポンジは、スチレンブタジエンゴム（ＳＢＲ）、ブタジエンゴム（ＢＲ）、天然ゴム（ＮＲ）またはアクリロニトリルブタジエンゴム（ＮＢＲ）が含まれる疎水性単量体高分子で形成されたことを特徴とする請求項１に記載の化粧品。
【請求項５】
前記化粧料組成物は、ファンデーションであることを特徴とする請求項１に記載の化粧品。
【誤訳訂正書】
【提出日】令和1年9月6日(2019.9.6)
【誤訳訂正１】
【訂正対象書類名】明細書
【訂正対象項目名】００２６
【訂正方法】変更
【訂正の内容】
【００２６】
結果を図１に図示するが、ここからすぐに高い有効性がわかる。曲線上から下へ：０％；０．１％および１％ゼオライト。
【誤訳訂正２】
【訂正対象書類名】明細書
【訂正対象項目名】００３２
【訂正方法】変更
【訂正の内容】
【００３２】
６０分後、１２０分後およびそれから全てについてさらに３０分後、それぞれの試験培養液の物質代謝活性を、慣用の生存性試験（レサズリンアッセイ）により間接的に決定した。同一条件の３つの液の測定値を平均し、標準偏差を含めて図５に示す（曲線；上から：０ｍｇ／ｍｌ、１０ｍｇ／ｍｌおよび５０ｍｇ／ｍｌ）。
【誤訳訂正３】
【訂正対象書類名】明細書
【訂正対象項目名】００３６
【訂正方法】変更
【訂正の内容】
【００３６】
６０分後、１２０分後およびそれから全てについてさらに３０分後、それぞれの試験培養液の物質代謝活性を、慣用の生存性試験（レサズリンアッセイ）により間接的に決定した。同一条件の３つの液の測定値を平均し、標準偏差を含めて図６に示す（曲線；上から：０％、０．０２％および０．１％ゼオライト）。
【誤訳訂正４】
【訂正対象書類名】特許請求の範囲
【訂正対象項目名】請求項３
【訂正方法】変更
【訂正の内容】
【請求項３】
１種または複数種の以下の添加物質：
−薬学的に許容可能な担体材料、
−生存可能な微生物および／またはその抽出物、
−健康な膣細菌叢のための栄養素（例えば乳糖など）、
−健康な膣細菌叢のために膣内環境に有利に影響を及ぼす物質（例えばエストラジオール、有機酸など）、
と使用することを特徴とする、請求項１または２に記載のクリノプチロライト。
【手続補正書】
【提出日】令和1年8月2日(2019.8.2)
【手続補正１】
【補正対象書類名】明細書
【補正対象項目名】００５３
【補正方法】変更
【補正の内容】
【００５３】
このとき、高品質の印刷部７の提供のために、特別な量で多層に積層されたフィルムができしており、これらフィルムにおいては、印刷部が内側に配置されているとともに、これらフィルムは、好ましくは異なる材料で製造される。異なる材料によっても、また印刷部７のインクによっても、リサイクル時の再利用ができないか、又は非常に制限されて可能である。そのため、適当な材料がしばしば燃やすことによって熱的にのみ利用される。本発明の範囲では、比較的薄く、バッグボディ１の一部にわたってのみ延在するフィルム部分によって、このような再利用できないか、又は再利用が困難な材料の割合が低減される。
【手続補正２】
【補正対象書類名】特許請求の範囲
【補正対象項目名】請求項１
【補正方法】変更
【補正の内容】
【請求項１】
バッグボディ（１）と、バッグ外側で該バッグボディ（１）上に配置された、印刷部を有する追加のフィルム部分（６）とを有するフィルムバッグであって、前記バッグボディ（１）が、バッグフィルムから成る互いに対向する少なくとも２つの前壁（２）を備えており、該前壁が上側のバッグ縁部、下側のバッグ縁部及び側方縁部によって画成されており、前記フィルム部分（６）及び前記バッグフィルムが全面的には互いに結合されていない前記フィルムバッグにおいて、
前記フィルム部分（６）が、前記前壁（２）のうち少なくとも１つにおいて、前記上側のバッグ縁部及び前記下側のバッグ縁部に対して間隔をもって配置されていること、前記フィルム部分（６）が２０〜１７０μｍの厚さを有していること、及び前記バッグフィルム及び前記フィルム部分（６）が、少なくとも０．０２ｇ／ｃｍ３の差を有する異なる密度を有することを特徴とするフィルムバッグ。
【手続補正３】
【補正対象書類名】特許請求の範囲
【補正対象項目名】請求項２
【補正方法】変更
【補正の内容】
【請求項２】
バッグボディ（１）と、バッグ外側で該バッグボディ（１）上に配置された、印刷部を有する追加のフィルム部分（６）とを有するフィルムバッグであって、前記バッグボディ（１）が、バッグフィルムから成る互いに対向する少なくとも２つの前壁（２）を備えており、該前壁が上側のバッグ縁部、下側のバッグ縁部及び側方縁部によって画成されており、前記フィルム部分（６）及び前記バッグフィルムが全面的には互いに結合されていない前記フィルムバッグにおいて、
前記フィルム部分（６）が、前記前壁（２）のうち少なくとも１つにおいて、前記上側のバッグ縁部及び前記下側のバッグ縁部に対して間隔をもって配置されていること、前記フィルム部分（６）が２０〜１００μｍの厚さを有していること、及び前記フィルム部分（６）の厚さに対する前記バッグフィルムの厚さの比が３：２よりも大きく、特に２：１よりも大きいことを特徴とするフィルムバッグ。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
少なくとも１つのプログラマブルプロセッサによって実行されると、前記少なくとも１つのプログラマブルプロセッサに、
手術中にＭＲＩシステムによって生成された患者の解剖学的構造を表す磁気共鳴画像法（ＭＲＩ）データを受信するステップと、
少なくとも手術中に受信されたＭＲＩデータに基づいて外科用器具又はロボット装置の位置を決定又は推測するステップと、
を実行させる命令を格納する、非一時的に、機械により読取り可能な媒体を含むコンピュータプログラム製品。
【請求項２】
前記外科用器具又は前記ロボット装置の位置を決定又は推測するステップは、前記ＭＲＩデータ内の前記外科用器具の外観に基づいて実行する、請求項１に記載のコンピュータプログラム製品。
【請求項３】
前記外科用器具又は前記ロボット装置の前記位置を決定又は推測するステップは、前記外科用器具上のマーカーの検出に基づいて実行する、請求項１に記載のコンピュータプログラム製品。
【請求項４】
前記外科用器具又は前記ロボット装置の前記位置を推測するステップは、前記ＭＲＩデータにおいて検出された器官の運動又は器官の変形に基づいてさらに推測する、請求項１に記載のコンピュータプログラム製品。
【請求項５】
ＭＲＩデータ内の器官の運動又は器官の変形を検出するステップをさらに備え、
前記外科用器具又は前記ロボット装置の前記位置を推測するステップは、検出された器官の運動又は器官の変形にさらに基づいて推測する、請求項１に記載のコンピュータプログラム製品。
【請求項６】
さらに、少なくとも外科用器具又はロボット装置の推測位置に基づいて視覚的又は聴覚的警告を生成するステップを備える、請求項５に記載のコンピュータプログラム製品。
【請求項７】
予め定義された外科用器具又はロボット装置の外科経路を受信するステップと、
ＭＲＩデータに基づいて外科経路からの逸脱を検知するステップと、
をさらに備える、請求項５に記載のコンピュータプログラム製品。
【請求項８】
少なくとも検出された逸脱及び外科経路に基づいて、外科用器具又はロボット装置のための新しい軌道を計算するステップをさらに備える、請求項７に記載のコンピュータプログラム製品。
【請求項９】
外科手術中に新たな経路に変更するステップをさらに備える、請求項８に記載のコンピュータプログラム製品。
【請求項１０】
前記新たな経路に変更するステップは、外科医に視覚的又は聴覚的なフィードバックを提供することを含む、請求項９に記載のコンピュータプログラム製品。
【請求項１１】
前記新たな経路に変更するステップは、前記ロボット装置にフィードバックを提供することを含む、請求項９に記載のコンピュータプログラム製品。
【請求項１２】
前記ロボット装置を制御して新しい外科経路をたどる、請求項１１に記載のコンピュータプログラム製品。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技媒体が通過可能であり、遊技媒体が通過したことに基づいて遊技価値を付与するための複数の特定領域があり、
回路基板と、
回路基板を電気的に接続する配線と、
回路基板を収納する基板ケースと、
前記基板ケースを封止状態とするために用いられる封印シールと、
回路基板に設けられた制御手段と、
を備え、
前記封印シールは、
前記封印シールの粘着力を低下させるための所定の溶剤が用いられたときに該溶剤が使用された痕跡を残す溶剤使用特定部と、
前記封印シールの識別情報が目視にて読み取り可能に表示された第１識別情報表示部及び前記封印シールの識別情報が符号化されることにより所定の読取装置にて読み取り可能な第２識別情報表示部と、を有し、
前記封印シールが前記基板ケースに貼付されたときに、前記配線と重ならない部分に前記溶剤使用特定部が配置され、
前記基板ケースは、複数の貼付面を有する封印シール貼付部を有し、
前記封印シールが前記複数の貼付面に跨るように貼付されたときに一の貼付面と他の貼付面との間の境界部に位置しない部分に前記第２識別情報表示部が配置され、
前記封印シールが前記複数の貼付面に跨るように貼付されたときに一の貼付面に対応する部分に前記溶剤使用特定部と前記第２識別情報表示部とが配置され、
前記制御手段は、特定領域への遊技媒体の通過を特定可能な信号を出力可能である
ことを特徴とする遊技機。
【手続補正２】
【補正対象書類名】明細書
【補正対象項目名】００１０
【補正方法】変更
【補正の内容】
【００１０】
前記課題を解決するために、本発明に係る遊技機は、遊技を行うことが可能な遊技機であって、
遊技媒体が通過可能であり、遊技媒体が通過したことに基づいて遊技価値を付与するための複数の特定領域があり、
回路基板と、
回路基板を電気的に接続する配線と、
回路基板を収納する基板ケースと、
前記基板ケースを封止状態とするために用いられる封印シールと、
回路基板に設けられた制御手段と、
を備え、
前記封印シールは、
前記封印シールの粘着力を低下させるための所定の溶剤が用いられたときに該溶剤が使用された痕跡を残す溶剤使用特定部と、
前記封印シールの識別情報が目視にて読み取り可能に表示された第１識別情報表示部及び前記封印シールの識別情報が符号化されることにより所定の読取装置にて読み取り可能な第２識別情報表示部と、を有し、
前記封印シールが前記基板ケースに貼付されたときに、前記配線と重ならない部分に前記溶剤使用特定部が配置され、
前記基板ケースは、複数の貼付面を有する封印シール貼付部を有し、
前記封印シールが前記複数の貼付面に跨るように貼付されたときに一の貼付面と他の貼付面との間の境界部に位置しない部分に前記第２識別情報表示部が配置され、
前記封印シールが前記複数の貼付面に跨るように貼付されたときに一の貼付面に対応する部分に前記溶剤使用特定部と前記第２識別情報表示部とが配置され、
前記制御手段は、特定領域への遊技媒体の通過を特定可能な信号を出力可能である
ことを特徴としている。
また、本願の他の発明の遊技機は、
所定の遊技を行うことが可能な遊技機（例えば、スロットマシン１、パチンコ遊技機１００１）であって、
複数の回路基板と、
複数の回路基板を電気的に接続する配線と、
回路基板（例えば、遊技制御基板４０／主基板１０３１）を収納する第１部材（例えば、ベース部材２０１／ベース部材１２０１）及び第２部材（例えば、カバー部材２０２／カバー部材１２０２）を有する基板ケース（例えば、基板ケース２００／基板ケース１２００）と、
前記第１部材と前記第２部材とを封止状態（例えば、基板ケースが開封されたらその痕跡が残るように閉鎖した第２封止状態）とするために用いられる封印シール（例えば、封印シール４００／封印シール１４００）と、
前記第１部材に設けられた第１部材側封印シール貼付部（例えば、ベース側封印部２２９／ベース側封印部１２２９）と、
前記第２部材に設けられた第２部材側封印シール貼付部（例えば、カバー側封印部２２４／カバー側封印部１２２４）と、
を備え、
前記封印シールは、
該封印シールの粘着力を低下させるための所定の溶剤が用いられたときに表示内容が消える溶剤変化部（例えば、所定の剥離液と接触することにより該剥離液に溶解する特殊インクにて印刷形成された溶剤使用表示部４５０Ａ〜４５０Ｄ／溶剤使用表示部１４５０Ａ〜１４５０Ｄ）を有し、
前記第１部材側封印シール貼付部と前記第２部材側封印シール貼付部とに前記封印シールが跨るように貼付されたときに該第１部材側封印シール貼付部と該第２部材側封印シール貼付部との境界部（例えば、境界部Ｚ）に位置しない部分に前記溶剤変化部が配置され（例えば、図１５（Ａ）に示すように、封印シール４００は、基板ケース２００に貼付されたときに境界部Ｚに掛からない位置に溶剤使用表示部４５０Ａ〜４５０Ｄが印刷されている。／図３０（Ａ）に示すように、封印シール１４００は、基板ケース１２００に貼付されたときに境界部Ｚに掛からない位置に溶剤使用表示部１４５０Ａ〜１４５０Ｄが印刷されている。）、
前記封印シールが前記基板ケースに貼付されたときに、前記配線と重ならない部分に前記溶剤変化部が配置されている
ことを特徴としている。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段と、
演出の出力を制御するサブ制御手段と
を備え、
前記メイン制御手段は、
エラーが発生したか否かを判定する手段と、
コマンドを生成するコマンド生成手段と、
生成したコマンドを記憶するバッファ領域と、
前記バッファ領域に記憶されているコマンドを前記サブ制御手段に送信するコマンド送信手段と
を備え、
前記コマンド生成手段が生成するコマンドとして、少なくとも、遊技者にとっての有利度を定める設定値を示す設定値コマンドを有し、
前記メイン制御手段は、
遊技の進行のためのメイン処理を遊技者の操作に応じて繰り返し実行可能であるとともに、所定時間ごとに割込み処理を実行し、
前記メイン処理では、前記設定値コマンドを含む複数個のコマンドを前記コマンド生成手段が生成するコマンド集中区間を有するとともに、コマンド集中区間の途中又は経過後に、前記コマンド生成手段がコマンドを生成することなく前記バッファ領域に記憶されているコマンドを前記コマンド送信手段が送信するための待ち時間を有し、
前記割込み処理では、前記待ち時間中であるか否かにかかわらず、所定のエラーが発生したと判定したことに基づいて、前記コマンド生成手段が前記所定のエラーに対応するコマンドを生成する場合を有する
ことを特徴とするスロットマシン。
【手続補正２】
【補正対象書類名】明細書
【補正対象項目名】０００５
【補正方法】変更
【補正の内容】
【０００５】
本発明は、以下の解決手段によって、上述の課題を解決する。なお、かっこ書きにて、対応する実施形態を示す。
請求項１の発明は、
遊技の進行を制御するメイン制御手段（５０）と、
演出の出力を制御するサブ制御手段（８０）と
を備え、
前記メイン制御手段は、
エラーが発生したか否かを判定する手段（メイン側エラー検知手段７１）と、
コマンドを生成するコマンド生成手段（７３）と、
生成したコマンドを記憶するバッファ領域（７４）と、
前記バッファ領域に記憶されているコマンドを前記サブ制御手段に送信するコマンド送信手段（７５）と
を備え、
前記コマンド生成手段が生成するコマンドとして、少なくとも、遊技者にとっての有利度を定める設定値を示す設定値コマンドを有し、
前記メイン制御手段は、
遊技の進行のためのメイン処理を遊技者の操作に応じて繰り返し実行可能であるとともに、所定時間（２．２３５ｍｓ）ごとに割込み処理を実行し、
前記メイン処理では、前記設定値コマンドを含む複数個のコマンドを前記コマンド生成手段が生成するコマンド集中区間を有するとともに、コマンド集中区間の途中又は経過後に、前記コマンド生成手段がコマンドを生成することなく前記バッファ領域に記憶されているコマンドを前記コマンド送信手段が送信するための待ち時間を有し、
前記割込み処理では、前記待ち時間中であるか否かにかかわらず、所定のエラーが発生したと判定したことに基づいて、前記コマンド生成手段が前記所定のエラーに対応するコマンド（エラー表示コマンド）を生成する場合を有する
ことを特徴とする。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
互いに隣接する第１期間、第２期間および第３期間に分割される対戦ゲームを行うプレイヤに用いられ得る１または複数のコンピュータを、
仮想的なカードの束であるデッキから選択された複数のカードが横方向に並んで表示される第１フィールドを下部に含み、相手キャラクタとの対戦が行われる第２フィールドを前記第１フィールドの上部に含むゲーム画面を表示させる第１制御手段と、
前記第１期間において、第１対戦条件下で、プレイヤの操作によって選択された前記カードに設定されたパラメータに基づく相手キャラクタとの対戦を前記第２フィールドで行う第２制御手段と、
前記第１期間に後続する前記第２期間において、前記第１対戦条件とは異なる第２対戦条件下で、プレイヤの操作によって選択された前記カードに設定されたパラメータに基づく相手キャラクタとの対戦を前記第２フィールドで行う第３制御手段と、
前記第２期間に後続する前記第３期間において、前記第１対戦条件および前記第２対戦条件とは異なる第３対戦条件下で、プレイヤの操作によって選択された前記カードに設定されたパラメータに基づく相手キャラクタとの対戦を前記第２フィールドで行う第４制御手段と、として機能させ、
前記第１期間において前記第１対戦条件は変化せず、
前記第２期間において前記第２対戦条件は変化せず、
前記第３期間において前記第３対戦条件は変化しない、対戦ゲーム制御プログラム。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
細長い管状部材に挿入するための、および穿孔を形成するために患者の組織にエネルギーを供給するための、穿孔器具であって、
終端部材と一体となった主部材を備える細長い部材であって、前記終端部材は前記主部材の遠位にある、細長い部材と、
前記終端部材の遠位端に配置され、エネルギーを前記組織に供給するための導電性を有する電極を有する金属構成部品と、
前記金属構成部品と前記主部材との間に配置され、前記金属構成部品および前記主部材の曲げ剛性より低い曲げ剛性を有する前記終端部材と、
を備える、穿孔器具。
【請求項２】
前記終端部材は導電性を有する金属管を備え、前記金属管はルーメンを画定する、請求項１に記載の穿孔器具。
【請求項３】
前記主部材は、導電性を有する金属で作られており、前記主部材、前記終端部材および前記金属構成部品は電気的に結合されている、請求項２に記載の穿孔器具。
【請求項４】
前記終端部材は、絶縁層によって覆われている、請求項２または３に記載の穿孔器具。
【請求項５】
前記細長い部材は、中心長軸に対して湾曲した湾曲領域を有する、請求項１〜４のいずれか一項に記載の穿孔器具。
【請求項６】
前記終端部材は、ニチノールからなり、中心長軸に対して曲げることができる、請求項１〜５のいずれか一項に記載の穿孔器具。
【請求項７】
前記主部材は鋼からなり、前記終端部材はニチノールからなり、前記金属構成部品は鋼からなる、請求項１〜６のいずれか一項に記載の穿孔器具。
【請求項８】
穿孔を形成するために患者の組織へエネルギーを供給するための医療装置であって、
前記組織を穿孔するための穿孔器具と、
前記穿孔器具が挿入される管状であるダイレータと、
前記ダイレータが挿入される管状である外側シースと
を備え、
前記穿孔器具は、
前記組織を穿孔するための、遠位端に配置される導電性である金属構成部品と、
近位端に配置される主部材と、
前記金属構成部品と前記主部材との間に配置され、前記金属構成部品および前記主部材の曲げ剛性より低い曲げ剛性を有する、柔軟な終端部材と
を備える、医療装置。
【請求項９】
前記柔軟な終端部材の曲げ剛性は、前記ダイレータおよび前記外側シースの少なくとも１つの曲げ剛性より低い、請求項８に記載の医療装置。
【請求項１０】
前記主部材または前記終端部材は、中心長軸に対して湾曲した湾曲領域を有する、請求項８または９に記載の医療装置。
【請求項１１】
前記終端部材は、ニチノールからなり、中心長軸に対して曲げることができる、請求項８〜１０のいずれか一項に記載の医療装置。
【請求項１２】
請求項８に記載の医療装置を使用して患者の体の組織を穿孔するための処置方法であって、
（１）アセンブリとして前記ダイレータおよび前記外側シース、ならびに前記穿孔器具を患者の体に挿入するステップと、
（２）前記アセンブリから遠位に穿孔する前記金属構成部品を突き出すように前記終端部材を前記アセンブリの内側に移動させることによって組織を穿孔するステップと
を含む、処置方法。
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
第１の内部を画定する第１のエンクロージャと、
前記第１のエンクロージャの前記第１の内部内に格納されているコーティングシステムであって、
前記第１の内部内で基板を支持するガスクッションを提供する浮遊式テーブル、
前記基板上に有機材料を堆積させるスロットダイコーティングアセンブリ、および
前記基板と前記スロットダイコーティングアセンブリとを互いに対して位置付けるように構成されている運動システム
を備える、コーティングシステムと、
第２の内部を画定する第２のエンクロージャであって、前記第１のエンクロージャと結合されている、第２のエンクロージャと、
前記第２の内部における硬化システムであって、前記基板上に堆積された有機材料を処理して前記基板上に有機膜層を形成する、硬化システムと
を備える、システム。
【請求項２】
前記運動システムが、
前記スロットダイコーティングアセンブリを移動させるＸ軸線形空気ベアリング、および
前記基板を移動させるＹ軸線形空気ベアリング
を備える、請求項１に記載のシステム。
【請求項３】
前記第１のエンクロージャおよび前記第２のエンクロージャが、それぞれ、前記第１の内部および前記第２の内部において制御された環境を維持するように構成されている、請求項１に記載のシステム。
【請求項４】
前記制御された環境が、不活性ガス環境である、請求項３に記載のシステム。
【請求項５】
前記スロットダイコーティングアセンブリが、前記基板上にあるパターンで前記有機材料を堆積させるように前記第１のエンクロージャ内で移動可能である、請求項１に記載のシステム。
【請求項６】
前記第１のエンクロージャの前記第１の内部に流体的に結合された、ガス循環および濾過システムならびにガス浄化システムの少なくとも１つをさらに備える、請求項１に記載のシステム。
【請求項７】
前記運動システムが、Ｚ軸可動プレートをさらに備え、前記スロットダイコーティングアセンブリが、前記Ｚ軸可動プレートに搭載されている、請求項１に記載のシステム。
【請求項８】
前記第１のエンクロージャおよび前記第２のエンクロージャが、互いに選択的な流体連通でまたは互いに流体分離で配置されるように構成される、請求項１に記載のシステム。
【請求項９】
前記硬化システムが、前記有機材料を硬化する光学エネルギー源を備える、請求項１に記載のシステム。
【請求項１０】
コーティングを基板上に提供する方法であって、
コーティングシステムを格納する第１のエンクロージャにおいて基板を支持することであって、前記基板を浮遊させるガスクッションを提供することによる支持を含む、支持することと、
前記第１のエンクロージャにおいて前記基板を支持しながらスロットダイコーティングアセンブリから前記基板上に有機材料を堆積させることと、
前記第１のエンクロージャから第２のエンクロージャに前記基板を移送することと、
前記第２のエンクロージャにおいて前記基板上に堆積された前記有機材料を処理して前記基板上に有機膜層を形成することと
を含む、方法。
【請求項１１】
前記ガスクッションを提供することが、浮遊式テーブルの多孔性材料を通してガスを流動させることを含む、請求項１０に記載の方法。
【請求項１２】
前記ガスクッションを提供することが、加圧ガスを単独でまたは部分的真空を創出することと組み合わせて流動させることを含む、請求項１０に記載の方法。
【請求項１３】
前記第１のエンクロージャ内で大気条件または大気条件の近くの制御された処理環境を維持することをさらに含み、前記制御された処理環境が、粒子状汚染レベルおよび反応性種の規定された限界の少なくとも１つより下に維持される、請求項１０に記載の方法。
【請求項１４】
前記制御された処理環境が、不活性ガス環境である、請求項１３に記載の方法。
【請求項１５】
前記基板上に前記有機材料を堆積させることが、前記基板上にあるパターンで前記有機材料を堆積させることを含む、請求項１０に記載の方法。
【請求項１６】
前記基板上に前記有機材料を堆積させることが、電子デバイスを含む前記基板の領域に前記有機材料を堆積させることを含む、請求項１０に記載の方法。
【請求項１７】
前記有機材料を処理することが、前記有機材料を硬化させることを含む、請求項１０に記載の方法。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
水；フッ化水素カリウム（ＫＨＦ２）；ヒュームドシリカ（ＳｉＯ２）；四ホウ酸カリウム４水和物（Ｋ２Ｂ４Ｏ７・４Ｈ２Ｏ）；及びフルオロホウ酸カリウム（ＫＢＦ４）；を含む、ホウ酸フリーのペーストフラックス組成物。
【請求項２】
ホウ素をさらに含む、請求項１に記載のホウ酸フリーのペーストフラックス組成物。
【請求項３】
湿潤剤をさらに含む、請求項２に記載のホウ酸フリーのペーストフラックス組成物。
【請求項４】
湿潤剤をさらに含む、請求項１に記載のホウ酸フリーのペーストフラックス組成物。
【請求項５】
前記酸フリーのペーストフラックスが、ホウ酸含有フラックス中に存在するホウ酸を、実質的に同様なモル量の四ホウ酸カリウム四水和物（Ｋ２Ｂ４Ｏ７・４Ｈ２Ｏ）で置換することによって製造される、請求項１に記載のホウ酸フリーのペーストフラックス組成物。
【請求項６】
前記酸フリーのペーストフラックスが、フタロシアニン顔料をさらに添加することによって製造され、前記フタロシアニン顔料を添加することは、前記フラックスの活性化温度で色変化をもたらす、請求項５に記載のホウ酸フリーのペーストフラックス組成物。
【請求項７】
前記色変化は、約５００〜６００℃の活性化温度で行われる、請求項６に記載のホウ酸フリーのペーストフラックス組成物。
【請求項８】
前記酸フリーのペーストフラックスが、ホウ砂含有フラックス中に存在するホウ砂を、実質的に同様なモル量の四ホウ酸カリウム四水和物（Ｋ２Ｂ４Ｏ７・４Ｈ２Ｏ）で置換することによって製造される、請求項１に記載のホウ酸フリーのペーストフラックス組成物。
【請求項９】
前記酸フリーのペーストフラックスが、フタロシアニン顔料をさらに添加することによって製造され、前記フタロシアニン顔料を添加することは、前記フラックスの活性化温度で色変化をもたらす、請求項８に記載のホウ酸フリーのペーストフラックス組成物。
【請求項１０】
前記色変化は、約５００〜６００℃の活性化温度で行われる、請求項９に記載のホウ酸フリーのペーストフラックス組成物。
【請求項１１】
ホウ酸フリーのフラックスを作製する方法であって、
ホウ酸含有フラックス中に存在するホウ酸を、実質的に同様なモル量の四ホウ酸カリウム四水和物（Ｋ２Ｂ４Ｏ７・４Ｈ２Ｏ）で置換するステップ、
を含む、方法。
【請求項１２】
前記フラックスの活性化温度で色変化をもたらすフタロシアニン顔料を添加するステップと、
をさらに含む、請求項１１に記載の方法。
【請求項１３】
ホウ酸フリーのフラックスを作製する方法であって、
ホウ砂含有フラックスに存在するホウ砂を、実質的に同様なモル量の四ホウ酸カリウム四水和物（Ｋ２Ｂ４Ｃ  ４Ｈ２Ｏ）で置換するステップ、
を含む、方法。
【請求項１４】
前記フラックスの活性化温度で色変化をもたらすフタロシアニン顔料を添加するステップ、
をさらに含む、請求項１３に記載の方法。